(57)【要約】【課題】音質の劣化を防止すること。【解決手段】ＤＡＰ１は、内蔵バッテリー４と、外部バッテリー５と、音声信号を処理するオーディオシステム３と、音声信号の処理以外の処理を行うメインシステム２と、を備える。内蔵バッテリー４は、メインシステム２に電源電圧を供給する。外部バッテリー５は、オーディオシステム３に電源電圧を供給する。また、ＤＡＰ１０１は、内蔵バッテリー１０４、１０５と、オーディオシステム１０３と、メインシステム１０２と、を備える。内蔵バッテリー１０４は、メインシステム１０２に電源電圧を供給する。内蔵バッテリー１０５は、オーディオシステム１０３に電源電圧を供給する。【選択図】図１
2019004238.tif 000002
【特許請求の範囲】
【請求項１】
複数のバッテリーと、
音声信号を処理するオーディオシステムと、
音声信号の処理以外の処理を行うメインシステムと、を備え、
前記複数のバッテリーのうちの第１バッテリーは、前記メインシステムに電源電圧を供給し、
前記複数のバッテリーのうちの第２バッテリーは、前記オーディオシステムに電源電圧を供給することを特徴とする音楽再生装置。
【請求項２】
前記オーディオシステムと、前記第１バッテリー又は前記第２バッテリーと、を接続するためのスイッチと、
前記メインシステムに含まれる制御部と、をさらに備え、
前記制御部は、
前記第２バッテリーの残量を監視し、
前記第２バッテリーの残量が所定値以下でない場合に、前記スイッチにより、前記オーディオシステムと前記第２バッテリーとを接続し、
前記第２バッテリーの残量が前記所定値以下となった場合に、前記スイッチにより、前記オーディオシステムと前記第１バッテリーとを接続することを特徴とする請求項１に記載の音楽再生装置。
【請求項３】
前記メインシステムと、前記第１バッテリー又は前記第２バッテリーと、を接続するための第１スイッチと、
前記オーディオシステムと、前記第１バッテリー又は前記第２バッテリーと、を接続するための第２スイッチと、
前記メインシステムに含まれる制御部と、をさらに備え、
前記制御部は、前記第１バッテリー及び前記第２バッテリーの残量を監視し、
前記第１バッテリーの残量が所定値以下でない場合に、前記第１スイッチにより、前記メインシステムと前記第１バッテリーとを接続し、
前記第１バッテリーの残量が前記所定値以下となった場合に、前記第１スイッチにより、前記メインシステムと前記第２バッテリーとを接続し、
前記第２バッテリーの残量が所定値以下でない場合に、前記第２スイッチにより、前記オーディオシステムと前記第２バッテリーとを接続し、
前記第２バッテリーの残量が前記所定値以下となった場合に、前記第２スイッチにより、前記オーディオシステムと前記第１バッテリーとを接続することを特徴とする請求項１に記載の音楽再生装置。
【請求項４】
前記第１バッテリーは、内蔵バッテリーであり、
前記第２バッテリーは、外部バッテリーであることを特徴とする請求項１又は２に記載の音楽再生装置。
【請求項５】
前記第１バッテリー、及び、前記第２バッテリーは、内蔵バッテリーであることを特徴とする請求項１又は３に記載の音楽再生装置。
【発明の詳細な説明】
【技術分野】
【０００１】
本発明は、音楽を再生する音楽再生装置に関する。
【背景技術】
【０００２】
携帯型の音楽再生装置には、バッテリーが搭載されている。携帯型の音楽再生装置において、音声信号の処理以外を行うメインシステムと、音声信号の処理を行うオーディオシステムと、を備えている場合がある。この場合、バッテリーからの電源電圧は、メインシステムと、オーディオシステムと、に供給される。
【０００３】
なお、特許文献１には、音楽再生を行う場合、内部電池から外部電池に切り替え、音楽再生系回路に外部電池からの電力を供給する発明が開示されている。特許文献１に記載の発明によれば、音楽再生時に外部電池が使用されるため、内部電池の蓄積電力の減少を抑えることができる。
【先行技術文献】
【特許文献】
【０００４】
【特許文献１】特開２００４−１６４２６３号公報
【発明の概要】
【発明が解決しようとする課題】
【０００５】
図８は、音楽再生装置が備えるメインシステムの消費電流を示す図である。図８に示すように、消費電流の短時間における変化が、数１００ｍＡ〜１Ａにまで及ぶ。この電流変動が電圧変動にもつながり、オーディオシステムへの影響も避けられない。すなわち、メインシステムが必要な電源の電流は、０〜２Ａで、状況により激しく変動し、その影響をオーディオシステムが受ける。このため、音質が劣化する。
【０００６】
本発明の目的は、音質の劣化を防止することである。
【課題を解決するための手段】
【０００７】
第１の発明の音楽再生装置は、複数のバッテリーと、音声信号を処理するオーディオシステムと、音声信号の処理以外の処理を行うメインシステムと、を備え、前記複数のバッテリーのうちの第１バッテリーは、前記メインシステムに電源電圧を供給し、前記複数のバッテリーのうちの第２バッテリーは、前記オーディオシステムに電源電圧を供給することを特徴とする。
【０００８】
本発明では、第１バッテリーは、メインシステムに電源電圧を供給する。また、第２バッテリーは、オーディオシステムに電源電圧を供給する。これにより、オーディオシステムは、第１バッテリーの電流変動の影響を受けないため、音質の劣化を防止することができる。
【０００９】
第２の発明の音楽再生装置は、第１の発明の音楽再生装置において、前記オーディオシステムと、前記第１バッテリー又は前記第２バッテリーと、を接続するためのスイッチと、前記メインシステムに含まれる制御部と、をさらに備え、前記制御部は、前記第２バッテリーの残量を監視し、前記第２バッテリーの残量が所定値以下でない場合に、前記スイッチにより、前記オーディオシステムと前記第２バッテリーとを接続し、前記第２バッテリーの残量が前記所定値以下となった場合に、前記スイッチにより、前記オーディオシステムと前記第１バッテリーとを接続することを特徴とする。
【００１０】
第３の発明の音楽再生装置は、第１の発明の音楽再生装置において、前記メインシステムと、前記第１バッテリー又は前記第２バッテリーと、を接続するための第１スイッチと、前記オーディオシステムと、前記第１バッテリー又は前記第２バッテリーと、を接続するための第２スイッチと、前記メインシステムに含まれる制御部と、をさらに備え、前記制御部は、前記第１バッテリー及び前記第２バッテリーの残量を監視し、前記第１バッテリーの残量が所定値以下でない場合に、前記第１スイッチにより、前記メインシステムと前記第１バッテリーとを接続し、前記第１バッテリーの残量が前記所定値以下となった場合に、前記第１スイッチにより、前記メインシステムと前記第２バッテリーとを接続し、前記第２バッテリーの残量が所定値以下でない場合に、前記第２スイッチにより、前記オーディオシステムと前記第２バッテリーとを接続し、前記第２バッテリーの残量が前記所定値以下となった場合に、前記第２スイッチにより、前記オーディオシステムと前記第１バッテリーとを接続することを特徴とする。
【００１１】
本発明では、制御部は、第１バッテリーの残量が所定値以下となった場合に、第１スイッチにより、メインシステムと第２バッテリーとを接続する。また、制御部は、第２バッテリーの残量が所定値以下となった場合に、第２スイッチにより、オーディオシステムと第１バッテリーとを接続する。これにより、一方のバッテリーに残量があり、他方のバッテリーに残量がない場合でも、一方のバッテリーの残量を使用し、音楽再生装置を使用状態に保つことができる。
【００１２】
第４の発明の音楽再生装置は、第１又は第２の発明の音楽再生装置において、前記第１バッテリーは、内蔵バッテリーであり、前記第２バッテリーは、外部バッテリーであることを特徴とする。
【００１３】
第５の発明の音楽再生装置は、第１又は第３の発明の音楽再生装置において、前記第１バッテリー、及び、前記第２バッテリーは、内蔵バッテリーであることを特徴とする。
【発明の効果】
【００１４】
本発明によれば、音質の劣化を防止することができる。
【図面の簡単な説明】
【００１５】
【図１】本発明の第１実施形態に係るデジタルオーディオプレーヤーの構成を示すブロック図である。
【図２】本発明の第１実施形態に係るデジタルオーディオプレーヤーの構成を示すブロック図である。
【図３】バッテリーを切り替える場合のデジタルオーディオプレーヤーの処理動作を示すフローチャートである（第１実施形態）。
【図４】本発明の第２実施形態に係るデジタルオーディオプレーヤーの構成を示すブロック図である。
【図５】本発明の第２実施形態に係るデジタルオーディオプレーヤーの構成を示すブロック図である。
【図６】本発明の第２実施形態に係るデジタルオーディオプレーヤーの構成を示すブロック図である。
【図７】バッテリーを切り替える場合のデジタルオーディオプレーヤーの処理動作を示すフローチャートである（第２実施形態）。
【図８】音楽再生装置が備えるメインシステムの消費電流を示す図である。
【発明を実施するための形態】
【００１６】
以下、本発明の実施形態について説明する。
【００１７】
（第１実施形態）
図１は、本発明の第１実施形態に係るデジタルオーディオプレーヤー（以下、「ＤＡＰ」という。）の構成を示すブロック図である。ＤＡＰ１（音楽再生装置）は、メインシステム２、オーディオシステム３、内蔵バッテリー４、外部バッテリー５、残量監視ＩＣ６、スイッチ７、ミュート回路８を備える。ＤＡＰ１は、Android（登録商標） OSを搭載している。なお、ＤＡＰ１は、他のＯＳを搭載していてもよいし、ＯＳを搭載していなくてもよい。
【００１８】
メインシステム２は、オーディオシステム３が行う音声信号の処理以外の処理を行う。メインシステム２は、ＳｏＣ（System on Chip）２１（制御部）を備える。ＳｏＣ２１は、ＣＰＵ（Central Processing Unit）、ＤＳＰ（Digital Signal Processor）、メモリ等を含む。ＳｏＣ２１は、制御プログラム、Android（登録商標） OS、アプリケーションプログラムに従って、ＤＡＰ１を構成する各部を制御する。
【００１９】
オーディオシステム３は、音声信号を処理する。オーディオシステム３は、Ｄ／Ａコンバーター（以下、「ＤＡＣ」という。）３１、増幅回路３２を備える。ＤＡＣ３１は、デジタル音声信号をアナログ音声信号にＤ／Ａ変換する。ＤＡＣ３１によりＤ／Ａ変換されたアナログ音声信号は、増幅回路３２に出力される。増幅回路３２は、アナログ音声信号を増幅する。増幅回路３２により増幅されたアナログ音声信号は、ヘッドホン９に出力される。ヘッドホン９は、アナログ音声信号に基づいて、音声を再生する。
【００２０】
内蔵バッテリー４（第１バッテリー）は、ＤＡＰ１の筐体内に配置されたバッテリーである。外部バッテリー５（第２バッテリー）は、ＤＡＰ１の筐体内に配置されていない、外部のバッテリーである。残量監視ＩＣ６は、外部バッテリー５の残量を監視するためのＩＣである。ＳｏＣ２１は、残量監視ＩＣ６により、外部バッテリー５の残量を監視している。
【００２１】
スイッチ７は、オーディオシステム３と、内蔵バッテリー４又は外部バッテリー５と、を接続するためのスイッチである。外部バッテリー５が接続され、且つ、外部バッテリー５の残量が所定値以下でない場合、図１に示すように、ＳｏＣ２１は、スイッチ７により、オーディオシステム３と外部バッテリー５とを接続する。この場合、内蔵バッテリー４は、メインシステム２に電源電圧を供給する。また、外部バッテリー５は、オーディオシステム３に電源電圧を供給する。また、外部バッテリー５が接続されていない場合、又は、外部バッテリー５の残量が所定値以下である場合、スイッチ７により、オーディオシステム３と内蔵バッテリー４とを接続する。この場合、内蔵バッテリー４は、メインシステム２とオーディオシステム３とに電源電圧を供給する。
【００２２】
ミュート回路８は、オーディオシステム３の出力をミュートするための回路である。
【００２３】
以下、バッテリーを切り替える場合のＤＡＰ１の処理動作を図３に示すフローチャートに基づいて説明する。ＳｏＣ２１は、通常の使用状態、すなわち、内蔵バッテリー４からの電源電圧がメインシステム２とオーディオシステム３とに供給されている場合において（Ｓ１）、外部バッテリー５が接続されたか否かを判断する（Ｓ２）。ＳｏＣ２１は、外部バッテリー５が接続されていないと判断している間は（Ｓ２：Ｎｏ）、Ｓ２の処理を繰り返し実行する。ＳｏＣ２１は、外部バッテリー５が接続されたと判断した場合（Ｓ２：Ｙｅｓ）、楽曲再生停止中であるか否かを判断する（Ｓ３）。ＳｏＣ２１は、楽曲再生停止中ではない、すなわち、楽曲再生中であると判断した場合（Ｓ３：Ｎｏ）、曲間であるか否かを判断する（Ｓ４）。ＳｏＣ２１は、曲間でない、すなわち、再生している楽曲が終了していないと判断している間は（Ｓ４：Ｎｏ）、Ｓ４の処理を繰り返し実行する。
【００２４】
ＳｏＣ２１は、曲間である、すなわち、再生している楽曲が終了したと判断した場合（Ｓ４：Ｙｅｓ）、又は、楽曲再生停止中であると判断した場合（Ｓ３：Ｙｅｓ）、オーディオシステム３の出力をミュート回路８によりミュートする（Ｓ５）。次に、ＳｏＣ２１は、スイッチ７により、オーディオシステム３と外部バッテリー５とを接続する（Ｓ６）。すなわち、ＳｏＣ２１は、オーディオシステム３への電源電圧供給元を、内蔵バッテリー４から外部バッテリー５に切り替える。次に、ＳｏＣ２１は、ミュート回路８によるミュートを解除する（Ｓ７）。そして、ＳｏＣ２１は、楽曲の再生を開始する（Ｓ８）。
【００２５】
以上説明したように、本実施形態では、内蔵バッテリー４は、メインシステム２に電源電圧を供給する。また、外部バッテリー５は、オーディオシステム３に電源電圧を供給する。これにより、オーディオシステム３は、内蔵バッテリー４の電流変動の影響を受けないため、音質の劣化を防止することができる。
【００２６】
（第２実施形態）
図４は、本発明の第２実施形態に係るＤＡＰの構成を示すブロック図である。ＤＡＰ１０１（音楽再生装置）は、メインシステム１０２、オーディオシステム１０３、内蔵バッテリー１０４、１０５、残量監視ＩＣ１０６、１０７、スイッチ１０８、１０９、ミュート回路１１０を備える。ＤＡＰ１０１は、Android（登録商標） OSを搭載している。
【００２７】
メインシステム１０２は、第１実施形態に係るメインシステム２と同様である。メインシステム１０２は、ＳｏＣ１２１（制御部）を備える。オーディオシステム１０３は、第１実施形態に係るオーディオシステム３と同様である。オーディオシステム１０３は、ＤＡＣ１３１、増幅回路１３２を備える。ヘッドホン１１１は、アナログ音声信号に基づいて、音声を再生する。
【００２８】
内蔵バッテリー１０４、１０５（第１バッテリー、第２バッテリー）は、ＤＡＰ１０１の筐体内に配置されたバッテリーである。残量監視ＩＣ１０６、１０７は、それぞれ、内蔵バッテリー１０４、１０５の残量を監視するためのＩＣである。ＳｏＣ１２１は、残量監視ＩＣ１０６、１０７により、内蔵バッテリー１０４、１０５の残量を監視している。
【００２９】
スイッチ１０８（第１スイッチ）は、メインシステム１０２と、内蔵バッテリー１０４又は内蔵バッテリー１０５と、を接続するためのスイッチである。スイッチ１０９（第２スイッチ）は、オーディオシステム１０３と、内蔵バッテリー１０４又は内蔵バッテリー１０５とを接続するためのスイッチである。
【００３０】
ＳｏＣ１２１は、内蔵バッテリー１０４の残量が所定値以下でない場合に、図４に示すように、スイッチ１０８により、メインシステム１０２と内蔵バッテリー１０４とを接続する。また、ＳｏＣ１２１は、内蔵バッテリー１０５の残量が所定値以下でない場合に、図４に示すように、スイッチ１０９により、オーディオシステム１０３と内蔵バッテリー１０５とを接続する。この場合、内蔵バッテリー１０４は、メインシステム１０２に電源電圧を供給する。また、内蔵バッテリー１０５は、オーディオシステム１０３に電源電圧を供給する。
【００３１】
ここで、内蔵バッテリー１０５の残量が所定値以下となったとする。ＳｏＣ１２１は、図５に示すように、スイッチ１０９により、オーディオシステム１０３と内蔵バッテリー１０４とを接続する。この場合、内蔵バッテリー１０４は、メインシステム１０２とオーディオシステム１０３とに電源電圧を供給する。
【００３２】
また、内蔵バッテリー１０４の残量が所定値以下となったとする。ＳｏＣ１２１は、図６に示すように、スイッチ１０８により、メインシステム１０２と内蔵バッテリー１０５とを接続する。この場合、内蔵バッテリー１０５は、メインシステム１０２とオーディオシステム１０３とに電源電圧を供給する。
【００３３】
ミュート回路１０８は、第１実施形態に係るミュート回路８と同様である。
【００３４】
以下、バッテリーを切り替える場合のＤＡＰ１の処理動作を図７に示すフローチャートに基づいて説明する。ＳｏＣ１２１は、通常の使用状態、すなわち、内蔵バッテリー１０４からの電源電圧がメインシステム１０２に、内蔵バッテリー１０５からの電源電圧がオーディオシステム１０３に供給されている場合において（Ｓ１０１）、内蔵バッテリー１０４の残量が所定値以下であるか否かを判断する（Ｓ１０２）。ＳｏＣ１２１は、内蔵バッテリー１０４の残量が所定値以下でないと判断した場合（Ｓ１０２：Ｎｏ）、内蔵バッテリー１０５の残量が所定値以下であるか否かを判断する（Ｓ１０３）。
【００３５】
ＳｏＣ１２１は、内蔵バッテリー１０５の残量が所定値以下でないと判断した場合（Ｓ１０３：Ｎｏ）、Ｓ１０２の処理を実行する。ＳｏＣ１２１は、内蔵バッテリー１０４の残量が所定値以下であると判断した場合（Ｓ１０２：Ｙｅｓ）、内蔵バッテリー１０５の残量が所定値以下であるか否かを判断する（Ｓ１０４）。ＳｏＣ１２１は、内蔵バッテリー１０５の残量が所定値以下でないと判断した場合（Ｓ１０４：Ｎｏ）、スイッチ１０８により、メインシステム１０２と内蔵バッテリー１０５とを接続する（Ｓ１０５）。すなわち、ＳｏＣ１２１は、メインシステム１０２に電源電圧を供給するバッテリーを、内蔵バッテリー１０５に切り替える。
【００３６】
次に、ＳｏＣ１２１は、内蔵バッテリー１０５の残量が所定値以下であるか否かを判断する（Ｓ１０６）。ＳｏＣ１２１は、内蔵バッテリー１０５の残量が所定値以下でないと判断した場合（Ｓ１０６：Ｎｏ）、Ｓ１０６の処理を実行する。
【００３７】
ＳｏＣ１２１は、内蔵バッテリー１０５の残量が所定値以下であると判断した場合（Ｓ１０３：Ｙｅｓ）、スイッチ１０９により、オーディオシステム１０３と内蔵バッテリー１０４とを接続する（Ｓ１０７）。すなわち、ＳｏＣ１２１は、オーディオシステム１０３に電源電圧を供給するバッテリーを、内蔵バッテリー１０４に切り替える。次に、ＳｏＣ１２１は、内蔵バッテリー１０４の残量が所定値以下であるか否かを判断する（Ｓ１０８）。ＳｏＣ１２１は、内蔵バッテリー１０４の残量が所定値以下でないと判断した場合（Ｓ１０８：Ｎｏ）、Ｓ１０８の処理を実行する。
【００３８】
ＳｏＣ１２１は、内蔵バッテリー１０５の残量が所定値以下であると判断した場合（Ｓ１０４、Ｓ１０６：Ｙｅｓ）、又は、内蔵バッテリー１０４の残量が所定値以下であると判断した場合（Ｓ１０８：Ｙｅｓ）、ＤＡＰ１０１をシャットダウンする（Ｓ１０９）。
【００３９】
以上説明したように、本実施形態では、内蔵バッテリー１０４は、メインシステム１０２に電源電圧を供給する。また、内蔵バッテリー１０５は、オーディオシステム１０３に電源電圧を供給する。これにより、オーディオシステム１０３は、内蔵バッテリー１０４の電流変動の影響を受けないため、音質の劣化を防止することができる。
【００４０】
また、本実施形態では、ＳｏＣ１２１は、内蔵バッテリー１０４の残量が所定値以下となった場合に、スイッチ１０８により、メインシステム１０２と内蔵バッテリー１０５とを接続する。また、ＳｏＣ１２１は、内蔵バッテリー１０５の残量が所定値以下となった場合に、スイッチ１０９により、オーディオシステム１０３と内蔵バッテリー１０４とを接続する。これにより、一方のバッテリーに残量があり、他方のバッテリーに残量がない場合でも、一方のバッテリーの残量を使用し、ＤＡＰ１０１を使用状態に保つことができる。
【００４１】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４２】
上述の実施形態においては、ＤＡＰ１、１０１が２つのバッテリーを備える場合を例示した。これに限らず、２つ以上の複数のバッテリーを備えていてもよい。
【００４３】
上述の実施形態においては、音楽再生装置として、ＤＡＰを例示した。これに限らず、スマートフォン、タブレットＰＣ、ＵＳＢ  ＤＡＣ等であってもよい。
【産業上の利用可能性】
【００４４】
本発明は、音楽を再生する音楽再生装置に好適に採用され得る。
【符号の説明】
【００４５】
１、１０１  ＤＡＰ（音楽再生装置）
２、１０２  メインシステム
２１、１２１  ＳｏＣ（制御部）
３、１０３  オーディオシステム
３１、１３１  ＤＡＣ
３２、１３２  増幅回路
４、１０４  内蔵バッテリー（第１バッテリー）
５  外部バッテリー（第２バッテリー）
１０５  内蔵バッテリー（第２バッテリー）
７  スイッチ
１０８  スイッチ（第１スイッチ）
１０９  スイッチ（第２スイッチ）
【図１】
2019004238.tif 000003
【図２】
2019004238.tif 000004
【図３】
2019004238.tif 000005
【図４】
2019004238.tif 000006
【図５】
2019004238.tif 000007
【図６】
2019004238.tif 000008
【図７】
2019004238.tif 000009
【図８】
2019004238.tif 000010